(57)【要約】【課題】コンパクトな構成で、複数の送信回路が同時に送信信号を生成した場合に、各送信回路が生成した送信信号を個別に検波するための技術を提供する。【解決手段】同時に複数の送信信号を出力可能な無線回路（１００）であって、当該複数の送信信号の中から検波対象信号を選択的に出力する送信信号選択回路（３１）と、出力された検波対象信号の電力を検出する検波回路（３３）と、を備えている。【選択図】図１
2014078792.tif 000002
【特許請求の範囲】
【請求項１】
同時に複数の送信信号を出力可能な無線回路であって、
該無線回路が同時に複数の送信信号を出力するとき、当該複数の送信信号の中から送信電力を検出すべき検波対象信号を決定する決定手段と、
該複数の送信信号が入力され、該決定手段が決定した該検波対象信号を選択的に出力する選択手段と、
該選択手段が出力した該検波対象信号の電力を検出する検波手段と、を備えていることを特徴とする無線回路。
【請求項２】
上記複数の送信信号の各々を生成する複数の送信信号生成手段と、
該複数の送信信号生成手段が生成した複数の送信信号をそれぞれ増幅する複数の増幅手段と、を備えており、
上記選択手段には、上記複数の増幅手段によって増幅された後の上記複数の送信信号が入力されるようになっていることを特徴とする請求項１に記載の無線回路。
【請求項３】
上記選択手段には、上記複数の送信信号が結合された状態で入力され、
上記選択手段は、上記複数の増幅手段によって増幅される前の上記複数の送信信号から、上記複数の送信信号の各々を相殺する相殺信号を生成する相殺信号生成手段を備えており、上記選択手段に結合された状態で入力された上記複数の送信信号に対して、該相殺信号生成手段によって生成された、上記検波対象信号とは異なる送信信号を相殺する該相殺信号を加えることによって、上記検波対象信号を選択的に出力するようになっていることを特徴とする請求項２に記載の無線回路。
【請求項４】
上記相殺信号生成手段は、移相器と、増幅器および減衰器の少なくとも何れかとを備えていることを特徴とする請求項３に記載の無線回路。
【請求項５】
上記決定手段は、上記複数の送信信号の送信電力がそれぞれ検出されるように、上記検波対象信号を切り替えるようになっていることを特徴とする請求項１〜４の何れか一項に記載の無線回路。
【発明の詳細な説明】
【技術分野】
【０００１】
本発明は、無線回路に関するものである。
【背景技術】
【０００２】
特許文献１には、使用周波数帯が異なる複数の送信回路の間で検波回路を共用する送信機が記載されている。
【０００３】
しかし、マルチキャリア通信やキャリアアグリゲーション等を行うため、複数の送信回路が同時に送信信号を生成した場合、特許文献１に記載の技術では、各送信回路が生成した送信信号を個別に検出することができないという課題が生じる。
【０００４】
これに対し、特許文献２に記載の通信機では、各周波数帯毎に検波回路を設けることにより、同時に生成された複数の送信信号のレベルをそれぞれ検出することができる。
【先行技術文献】
【特許文献】
【０００５】
【特許文献１】特開２０１１−９７３２０号公報（２０１１年５月１２日公開）
【特許文献２】特開２００５−３１８２１２号公報（２００５年１１月１０日）
【発明の概要】
【発明が解決しようとする課題】
【０００６】
しかしながら、特許文献２に記載の通信機では、各周波数帯毎に検波回路を設けるため、回路規模が拡大し、配線の遅延差によるタイミング問題や、並行配線に基づくクロストーク、レイアウト変更に伴う整合調整の必要性等の問題が生じる。
【０００７】
本発明は、上記課題に鑑みてなされたものであり、コンパクトな構成で、複数の送信回路が同時に送信信号を生成した場合に、各送信回路が生成した送信信号を個別に検波するための技術を提供することを主たる目的とする。
【課題を解決するための手段】
【０００８】
上記の課題を解決するために、本発明の一態様に係る無線回路は、同時に複数の送信信号を出力可能な無線回路であって、該無線回路が同時に複数の送信信号を出力するとき、当該複数の送信信号の中から送信電力を検出すべき検波対象信号を決定する決定手段と、該複数の送信信号が入力され、該決定手段が決定した該検波対象信号を選択的に出力する選択手段と、該選択手段が出力した該検波対象信号の電力を検出する検波手段と、を備えていることを特徴としている。
【０００９】
上記無線回路は、上記複数の送信信号の各々を生成する複数の送信信号生成手段と、該複数の送信信号生成手段が生成した複数の送信信号をそれぞれ増幅する複数の増幅手段と、を備えており、上記選択手段には、上記複数の増幅手段によって増幅された後の上記複数の送信信号が入力されるようになっているものであってもよい。
【００１０】
上記無線回路において、上記選択手段には、上記複数の送信信号が結合された状態で入力され、上記選択手段は、上記複数の増幅手段によって増幅される前の上記複数の送信信号から、上記複数の送信信号の各々を相殺する相殺信号を生成する相殺信号生成手段を備えており、上記選択手段に入力された上記複数の送信信号に対して、該相殺信号生成手段によって生成された、上記検波対象信号とは異なる送信信号を相殺する該相殺信号を加えることによって、上記検波対象信号を選択的に出力するようになっているものであってもよい。
【００１１】
上記無線回路では、上記相殺信号生成手段は、移相器と、増幅器および減衰器の少なくとも何れかとを備えているものであってもよい。
【００１２】
上記無線回路において、上記選択手段には、上記複数の送信信号が結合された状態で入力され、上記選択手段は、上記複数の送信信号の各々を選択的に通過または阻止するフィルタを備えているものであってもよい。
【００１３】
上記無線回路では、上記決定手段は、上記複数の送信信号の送信電力がそれぞれ検出されるように、上記検波対象信号を切り替えるようになっているものであってもよい。
【００１４】
本発明の一態様に係る無線装置は、本発明の一態様に係る無線回路を備えていることを特徴としている。
【００１５】
本発明の一態様に係る無線回路の制御方法は、選択手段を備え、同時に複数の送信信号を出力可能な無線回路の制御方法であって、無線回路が同時に複数の送信信号を出力する出力工程と、当該複数の送信信号の中から送信電力を検出すべき検波対象信号を決定する決定工程と、該選択手段が、該複数の送信信号を含む入力から、該決定工程において決定した該検波対象信号を選択的に出力する選択工程と、該選択工程において該選択手段が出力した該検波対象信号の電力を検出する検波工程と、を包含していることを特徴としている。
【発明の効果】
【００１６】
本発明の一態様によれば、同時に送信される複数の送信信号の中から、送信電力を検出すべき検波対象信号を選択的に出力し、出力された検波対象信号を検波する。これにより、周波数帯域毎に検波手段を設けることなく、複数の送信信号の各々の電力を個別に検出することができる。すなわち、上記の構成によれば、コンパクトな構成で、複数の送信回路が同時に送信信号を生成した場合に、各送信回路が生成した送信信号を個別に検波するための技術を提供することができる。
【図面の簡単な説明】
【００１７】
【図１】本発明の一実施形態に係る無線回路の概略構成を示すブロック図である。
【図２】本発明の一実施形態における送信波選択回路の構成のバリエーションを示すブロック図である。
【図３】本発明の一実施形態に係る無線回路の概略構成を示すブロック図である。
【図４】本発明の一実施形態における送信波選択回路の構成のバリエーションを示すブロック図である。
【図５】本発明の一実施形態に係る無線回路の概略構成を示すブロック図である。
【図６】本発明の一実施形態に係る無線回路の概略構成を示すブロック図である。
【図７】本発明の一実施形態に係る無線回路における各送信波の流れを説明する図である。
【図８】本発明の一実施形態に係る無線回路における各送信波の検波タイミングの一例を示す図である。
【図９】本発明の一実施形態に係る無線回路における検波処理の流れの一例を説明するフローチャートである。
【図１０】本発明の一実施形態に係る無線回路における検波処理の流れの一例を説明するフローチャートである。
【発明を実施するための形態】
【００１８】
〔実施形態１〕
本発明の一実施形態（実施形態１）について、図面に基づいて説明すれば、以下のとおりである。なお、本実施形態に係る無線回路は、送信波（送信信号）を処理するための無線回路であり、何らかの信号が重畳された搬送波をアンテナを用いて送受信または送信する無線装置一般に組み込まれ得る。
【００１９】
図１は、本実施形態に係る無線回路１００の概略構成を示すブロック図である。図１に示すように、無線回路１００は、送信波生成回路Ａ（送信信号生成手段）１０、増幅器Ａ（増幅手段）１１、結合器Ａ１２、送信波生成回路Ｂ（送信信号生成手段）２０、増幅器Ｂ（増幅手段）２１、結合器Ｂ２２、制御回路（決定手段）３０、送信波選択回路（選択手段）３１、検波回路（検波手段）３３および演算部３４を備えている。
【００２０】
本実施形態では、送信電力のフィードバック制御のために送信波を検波する場合について説明するが、本発明はこれに限定されず、送信波の検波が必要な場合一般に適用することができる。
【００２１】
また、無線回路１００は、上述したように、複数の送信波生成回路（送信波生成回路Ａ１０および送信波生成回路Ｂ２０）ならびに複数の増幅器（増幅器Ａ１１および増幅器Ｂ２１）を備え、複数の送信波（送信波ＡおよびＢ）を同時に出力可能なように構成されている。なお、複数の送信波は、互いに周波数帯域が異なっているものとする。
【００２２】
無線回路１００は、必要に応じて、送信波Ａおよび送信波Ｂの何れも送信していない状態、送信波Ａおよび送信波Ｂの何れか一方の送信波のみを出力している状態、および、送信波Ａおよび送信波Ｂを同時に出力している状態の何れかをとることができる。なお、以下の説明では、特に明示しない限り、送信波Ａおよび送信波Ｂを同時に出力している状態について言及する。
【００２３】
無線回路１００において、送信波生成回路Ａ１０が生成した送信波Ａは、増幅器Ａ１１によって増幅され、結合器Ａ１２によって一部が取り出された後、出力される（送信波出力Ａ）。
【００２４】
また、送信波生成回路Ｂ２０が生成した送信波Ｂは、増幅器Ｂ２１によって増幅され、結合器Ｂ２２によって一部が取り出された後、出力される（送信波出力Ｂ）。
【００２５】
結合器Ａ１２および結合器Ｂ２２において取り出された送信波Ａおよび送信波Ｂは、結合部３２において結合され、送信波選択回路３１に入力される。
【００２６】
なお、結合器Ａ１２と結合部３２との間、および、結合器Ｂ２２と結合部３２との間には、それぞれ抵抗が装荷されていてもよい。これによって、結合器Ａ１２および結合器Ｂ２２において取り出された送信波Ａおよび送信波Ｂをそれぞれ減衰させ、送信波出力Ｂへの送信波Ａの影響および送信波出力Ａへの送信波Ｂの影響を抑制することができる。
【００２７】
制御回路３０は、送信波Ａおよび送信波Ｂから、電力を検出すべき検波対象波（検波対象信号）を決定し、決定した検波対象波を指定する制御信号（検波制御信号）を、送信波選択回路３１に出力する。
【００２８】
送信波選択回路３１は、送信波Ａおよび送信波Ｂが結合された入力信号（入力信号）から、制御信号によって指定された検波対象波を選択的に検波回路３３に出力する。
【００２９】
検波回路３３は、例えば、公知のＤＣ−ＤＣコンバータであり、入力された検波対象波の電力を検出することができる。そして、検波回路３３は、検出した検波対象波の電力を示す信号を、演算部３４に出力する。
【００３０】
演算部３４は、入力された信号から検波対象波の電力情報を取得し、当該電力情報に基づいて、送信電力のフィードバック制御（増幅器の制御）を行う。
【００３１】
図７は、無線回路１００における各送信波の流れを説明する図である。図７（ａ）は、送信波Ａおよび送信波Ｂを同時に出力している状態、または、送信波Ａのみを出力している状態において、検波対象波が送信波Ａである場合を示し、図７（ｂ）は、送信波Ａおよび送信波Ｂを同時に出力している状態、または、送信波Ｂのみを出力している状態において、検波対象波が送信波Ｂである場合を示す。
【００３２】
図７（ａ）に示すように、検波対象波が送信波Ａである場合には、送信波Ａのみが、送信波選択回路３１から出力され、検波回路３３に入力される。一方、図７（ｂ）に示すように、検波対象波が送信波Ｂである場合には、送信波Ｂのみが、送信波選択回路３１から出力され、検波回路３３に入力される。
【００３３】
（送信波選択回路の構成例）
図２は、本実施形態における送信波選択回路３１の構成例を示す図である。図２（ａ）〜（ｄ）に示すように、本実施形態において、送信波選択回路３１は、フィルタを備えている。送信波選択回路３１は、また、スイッチをさらに備えていてもよい。なお、図２（ａ）〜（ｄ）に示す構成は、あくまでも構成例であり、本発明はこれらの構成に限定されない。
【００３４】
図２（ａ）は、送信波選択回路３１の一構成例を示す図である。図２（ａ）に示すように、一例において、送信波選択回路３１は、送信波Ａを通過させるバンドパスフィルタ４１ａおよび送信波Ｂを通過させるバンドパスフィルタ４１ｂがシリアル（直列）に接続された構成を有している。バンドパスフィルタ４１ａは、スイッチ４０ａおよび４２ａによって挟まれており、バンドパスフィルタ４１ｂは、スイッチ４０ｂおよび４２ｂによって挟まれている。
【００３５】
検波対象波が送信波Ａであるときには、制御回路３０は、スイッチ４０ａおよび４２ａに対しては、入力信号がバンドパスフィルタ４１ａに入力されるように、スイッチ４０ｂおよび４２ｂに対しては、入力信号がバンドパスフィルタ４１ｂをバイパス（回避）するように制御信号を送る。一方、検波対象波が送信波Ｂであるときには、制御回路３０は、スイッチ４０ａおよび４２ａに対しては、入力信号がバンドパスフィルタ４１ａをバイパスするように、スイッチ４０ｂおよび４２ｂに対しては、入力信号がバンドパスフィルタ４１ｂに入力されるように制御信号を送る。なお、送信波Ａおよび送信波Ｂが同時に出力されておらず、検波対象波のみが出力される状態では、制御回路３０は、入力信号がバンドパスフィルタ４１ａおよび４１ｂの両方をバイパスするように各スイッチに制御信号を送ってもよい。
【００３６】
以上により、図２（ａ）に示す構成例において、送信波選択回路３１は、首尾よく検波対象波を選択的に出力することができる。なお、他の実施形態において、３種類以上の送信波を同時に出力する場合であっても、本構成例と同様に、送信波の種類と同じ数のバンドパスフィルタをシリアルに接続し、検波対象波を通過させるバンドパスフィルタに入力されるように制御すればよい。
【００３７】
図２（ｂ）は、送信波選択回路３１の他の構成例を示す図である。図２（ｂ）に示すように、一例において、送信波選択回路３１は、通過させる周波数帯域が可変である可変バンドパスフィルタ４４が、スイッチ４３および４５によって挟まれている構成を有している。可変バンドパスフィルタ４４は、送信波Ａを通過させる状態と、送信波Ｂを通過させる状態との間で切り替え可能であるようになっている。
【００３８】
送信波Ａおよび送信波Ｂが同時に出力されている状態では、制御回路３０は、スイッチ４３および４５に対し、入力信号が可変バンドパスフィルタ４４に入力されるように制御信号を送る。そして、検波対象波が送信波Ａであるときには、制御回路３０は、可変バンドパスフィルタ４４が、送信波Ａを通過させるように、制御信号を送り、検波対象波が送信波Ｂであるときには、制御回路３０は、可変バンドパスフィルタ４４が、送信波Ｂを通過させるように、制御信号を送る。一方、送信波Ａおよび送信波Ｂが同時に出力されておらず、検波対象波のみが出力される状態では、制御回路３０は、入力信号が可変バンドパスフィルタ４４をバイパスするようにスイッチ４３および４５に制御信号を送る。
【００３９】
なお、スイッチ４３および４５を省略し、同時出力するか否かによらず、検波対象波に合わせて可変バンドパスフィルタ４４を制御するようにしてもよい。
【００４０】
以上により、図２（ｂ）に示す構成例において、送信波選択回路３１は、首尾よく検波対象波を選択的に出力することができる。なお、他の実施形態において、３種類以上の送信波を同時に出力する場合であっても、本構成例と同様に、各種類の送信波に対応した周波数帯域の間で、通過させる周波数帯域が可変な可変バンドパスフィルタを用い、検波対象波に合わせて可変バンドパスフィルタを制御すればよい。
【００４１】
図２（ｃ）は、送信波選択回路３１のさらに他の構成例を示す図である。図２（ｃ）に示すように、一例において、送信波選択回路３１は、送信波Ａを通過させるバンドパスフィルタ４７ａおよび送信波Ｂを通過させるバンドパスフィルタ４７ｂがパラレル（並列）に接続された構成を有している。入力信号が、バンドパスフィルタ４７ａを通過するか、バンドパスフィルタ４７ｂを通過するか、何れのフィルタもバイパスするかは、スイッチ４６および４８によって操作される。
【００４２】
検波対象波が送信波Ａであるときには、制御回路３０は、スイッチ４６および４８に対して、入力信号がバンドパスフィルタ４７ａに入力されるように制御信号を送る。一方、検波対象波が送信波Ｂであるときには、制御回路３０は、スイッチ４６および４８に対して、入力信号がバンドパスフィルタ４７ｂに入力されるように制御信号を送る。なお、送信波Ａおよび送信波Ｂが同時に出力されておらず、検波対象波のみが出力される状態では、制御回路３０は、入力信号がバンドパスフィルタ４７ａおよび４７ｂの両方をバイパスするように各スイッチに制御信号を送ってもよい。
【００４３】
以上により、図２（ｃ）に示す構成例において、送信波選択回路３１は、首尾よく検波対象波を選択的に出力することができる。なお、他の実施形態において、３種類以上の送信波を同時に出力する場合であっても、本構成例と同様に、送信波の種類と同じ数のバンドパスフィルタをパラレルに接続し、検波対象波を通過させるバンドパスフィルタに入力されるように制御すればよい。
【００４４】
図２（ｄ）は、送信波選択回路３１のさらに他の構成例を示す図である。図２（ｄ）に示すように、一例において、送信波選択回路３１は、送信波Ａを阻止するノッチフィルタ５０ａおよび送信波Ｂを阻止するノッチフィルタ５０ｂがシリアルに接続された構成を有している。ノッチフィルタ５０ａは、スイッチ４９ａおよび５１ａによって挟まれており、ノッチフィルタ５０ｂは、スイッチ４９ｂおよび５１ｂによって挟まれている。
【００４５】
検波対象波が送信波Ａであるときには、制御回路３０は、スイッチ４９ａおよび５１ａに対しては、入力信号がノッチフィルタ５０ａをバイパスするように、スイッチ４９ｂおよび５１ｂに対しては、入力信号がノッチフィルタ５０ｂに入力されるように制御信号を送る。一方、検波対象波が送信波Ｂであるときには、制御回路３０は、スイッチ４９ａおよび５１ａに対しては、入力信号がノッチフィルタ５０ａに入力されるように、スイッチ４９ｂおよび５１ｂに対しては、入力信号がノッチフィルタ５０をバイパスするように制御信号を送る。なお、送信波Ａおよび送信波Ｂが同時に出力されておらず、検波対象波のみが出力される状態では、制御回路３０は、入力信号がノッチフィルタ５０ａおよび５０ｂの両方をバイパスするように各スイッチに制御信号を送ってもよい。
【００４６】
以上により、図２（ｄ）に示す構成例において、送信波選択回路３１は、首尾よく検波対象波を選択的に出力することができる。なお、他の実施形態において、３種類以上の送信波を同時に出力する場合であっても、本構成例と同様に、送信波の種類と同じ数のノッチフィルタをシリアルに接続し、検波対象波以外の送信波を阻止する各ノッチフィルタにそれぞれ入力されるように制御すればよい。
【００４７】
（無線回路の制御例）
図８は、無線回路１００における各送信波の検波タイミングの一例を示す図である。図８に示すように、送信開始後、最初は、送信波Ａのみを送信し、しばらく後に送信波Ａおよび送信波Ｂを同時に送信し、しばらく後に送信波Ｂのみを送信し、しばらく後に送信終了するものとする。
【００４８】
この場合、まず、送信波Ａのみを送信している状態では、制御回路３０は、一例において、送信波Ａの送信電力を検出するように送信波選択回路３１を制御する。すなわち、制御回路３０は送信波Ａを検波対象波として指定する制御信号を送信波選択回路３１に送る。そして、演算部３４は、検波回路３３が検出した送信波Ａの送信電力に応じた送信波Ａの送信電力のフィードバック制御（電力制御）を行う（＜１＞）。
【００４９】
続いて、送信波Ａおよび送信波Ｂを同時に送信している状態では、制御回路３０は、一例において、送信波Ａおよび送信波Ｂの送信電力がそれぞれ検出されるように、検波対象波を切り替える。すなわち、まず、制御回路３０は検波対象を切り替え、送信波Ｂを検波対象波として指定する制御信号を送信波選択回路３１に送り、演算部３４は、検波回路３３が検出した送信波Ｂの送信電力に応じた送信波Ｂの送信電力のフィードバック制御（電力制御）を行う（＜２＞）。続いて、制御回路３０は検波対象を切り替え、送信波Ａを検波対象波として指定する制御信号を送信波選択回路３１に送り、演算部３４は、検波回路３３が検出した送信波Ａの送信電力に応じた送信波Ａの送信電力のフィードバック制御（電力制御）を行う（＜３＞）。
【００５０】
このとき、制御回路３０による送信波Ａと送信波Ｂとの間での検波対象波の切り替えの間隔は、切り替え間隔を短くすると送信電力のきめ細かいフィードバック制御を行うことができるが、切り替えに伴う電力消費等を考慮し、目的に応じて適宜設定すればよい。また、送信電力を検出していないときの選択回路は、一例において、前の状態を維持するようにすればよい。
【００５１】
そして、送信波Ｂのみを送信している状態では、制御回路３０は、一例において、送信波Ｂの送信電力を検出するように送信波選択回路３１を制御する。すなわち、制御回路３０は送信波Ｂを検波対象波として指定する制御信号を送信波選択回路３１に送る。そして、演算部３４は、検波回路３３が検出した送信波Ｂの送信電力に応じた送信波Ｂの送信電力のフィードバック制御（電力制御）を行う（＜４＞）。
【００５２】
以上のように、本実施形態によれば、複数の送信波を同時に送信している状態においても、各送信波を個別に検波して、例えば、電力制御を行うことができる。
【００５３】
図９は、無線回路１００における検波処理の流れの一例を説明するフローチャートである。図９に示すように、まず、制御回路３０は、ステップＳ０において、送信が行われているか否かを判定し、送信が行われている場合には、ステップＳ１へ進む。送信が行われていない場合には、再度、ステップＳ０を行う。
【００５４】
ステップＳ１では、制御回路３０は、送信波Ａの検波を行うべきか否かを判定する。制御回路３０は、この判定を、上述したように、（ｉ）送信波Ａのみの送信、送信波Ｂのみの送信、ならびに、送信波Ａおよび送信波Ｂの同時送信の何れであるか、（ｉｉ）送信波Ａおよび送信波Ｂの同時送信の場合における検波対象波の切り替え間隔などに応じて行うことができる。送信波Ａの検波を行うべき場合には、ステップＳ２に進み、そうでない場合にはステップＳ５に進む。
【００５５】
ステップＳ２では、制御回路３０は、送信波Ａの送信タイミングであるか否かを判定する。送信波Ａの送信タイミングである場合には、ステップＳ３に進み、そうでない場合にはステップＳ０に戻る。
【００５６】
ステップＳ３では、制御回路３０は、検波対象波である送信波Ａを選択的に出力（通過）させるように、送信波選択回路３１に制御信号を送り、ステップＳ４に進む。
【００５７】
ステップＳ４では、検波回路３３は、検波対象波の電力を検出する。演算部３４は、検波回路３３が検出した検波対象波の電力に基づいて、検波対象波の送信電力の制御を行う。その後、ステップＳ０に戻る。
【００５８】
ステップＳ５では、制御回路３０は、送信波Ｂの検波を行うべきか否かを判定する。制御回路３０は、この判定を、ステップＳ１と同様に行うことができる。送信波Ｂの検波を行うべき場合には、ステップＳ６に進み、そうでない場合にはステップＳ０に戻る。
【００５９】
ステップＳ６では、制御回路３０は、送信波Ｂの送信タイミングであるか否かを判定する。送信波Ｂの送信タイミングである場合には、ステップＳ７に進み、そうでない場合にはステップＳ０に戻る。
【００６０】
ステップＳ７では、制御回路３０は、検波対象波である送信波Ｂを選択的に出力（通過）させるように、送信波選択回路３１に制御信号を送り、ステップＳ４に進む。
【００６１】
（変形例）
なお、本実施形態の変形例において、制御回路３０および演算部３４は、送信波毎に分割されて実装されていてもよい。例えば、送信波Ａの送信系と、送信波Ｂの送信系とが別のＣＰＵ（制御ユニット）に実装されていてもよい。
【００６２】
この場合、各送信系において、自送信波の検波が必要になった場合、各送信系のＣＰＵは、送信波選択回路３１に対して、上述したような制御信号を送ると共に、自送信波の検波中であることを示す信号を、他の送信系のＣＰＵに送る。そして、各送信系のＣＰＵは、検波が終了すると、その旨を示す信号を他の送信系のＣＰＵに送る。
【００６３】
ここで、もし、各送信系において、自送信波の検波が必要になった場合に、既に他の送信系のＣＰＵから、当該他の送信系の送信波の検波中であることを示す信号が送られていた場合には、当該検波の終了を示す信号が送られてくるのを待つか、検波の割り込み処理を行うことを示す信号を他の送信系のＣＰＵに送るとともに、送信波選択回路３１に対して、上述したような制御信号を送る。これにより、上述した実施形態と同様に、複数の送信波を同時に送信している状態においても、各送信波を個別に検波して、例えば、電力制御を行うことができる。
【００６４】
また、本実施形態の他の変形例において、制御回路３０および送信波選択回路３１等は、チップまたはモジュール内に組み込んで整合定数を固定するようにしてもよい。例えば、送信波生成回路Ａ１０、送信波生成回路Ｂ２０、制御回路３０、送信波選択回路３１、検波回路３３および演算部３４を、一つのＲＦＩＣに内蔵してもよい。これにより、回路規模の拡大、配線の遅延差によるタイミング問題、並行配線に基づくクロストーク、レイアウト変更に伴う整合調整の必要性等の問題をより好適に解決することができる。
【００６５】
なお、以上の変形例は、以下に示す他の実施形態においても適用することができる。
【００６６】
〔実施形態２〕
本発明の他の実施形態（実施形態２）について、図面に基づいて説明すれば、以下のとおりである。なお、説明の便宜上、前記実施形態にて説明した図面と同じ機能を有する部材については、同じ符号を付記し、その説明を省略する。
【００６７】
図３は、本実施形態に係る無線回路１０１の概略構成を示すブロック図である。図３に示すように、無線回路１０１において、送信波生成回路Ａ１０が生成した送信波Ａは、結合部１３において一部が取り出された後、増幅器Ａ１１に入力される。結合部１３において取り出された送信波Ａは、送信波選択回路３１に入力される。また、送信波生成回路Ｂ２０が生成した送信波Ｂは、結合部２３において一部が取り出された後、増幅器Ｂ２１に入力される。結合部２３において取り出された送信波Ｂは、送信波選択回路３１に入力される。
【００６８】
そして、送信波選択回路３１は、結合部１３または結合部２３を介して入力された送信波Ａおよび送信波Ｂ（増幅器Ａ１１および増幅器Ｂ２１によって増幅される前の送信波Ａおよび送信波Ｂ）から、増幅器Ａ１１または増幅器Ｂ２１によって増幅された後の送信波Ａおよび送信波Ｂの何れかを相殺する相殺信号を生成し、結合部３２において結合された送信波Ａおよび送信波Ｂに対して、当該相殺信号を加えることによって、検波対象波を選択的に出力するようになっている。
【００６９】
（送信波選択回路の構成例）
図４は、本実施形態における送信波選択回路３１の構成例を示す図である。なお、図４（ａ）（ｂ）に示す構成は、あくまでも構成例であり、本発明はこれらの構成に限定されない。
【００７０】
図４（ａ）は、本実施形態における送信波選択回路３１の一構成例を示す図である。図４（ａ）に示すように、一例において、送信波選択回路３１は、増幅器Ａ１１および増幅器Ｂ２１によって増幅される前の送信波Ａまたは送信波Ｂが入力され、何れか一方を選択的に出力するスイッチ５２と、スイッチ５２から出力された送信波を用いて、入力信号（増幅器Ａ１１または増幅器Ｂ２１によって増幅された後の送信波Ａおよび送信波Ｂが結合されたもの）から検波対象波を選択的に出力する相殺回路（相殺信号生成手段）５３とを備えている。
【００７１】
相殺回路５３は、移相器５４、増幅（減衰）器５５および加算器５６を備えており、増幅器Ａ１１および増幅器Ｂ２１によって増幅される前の送信波Ａまたは送信波Ｂの位相および振幅を調整することによって、増幅器Ａ１１または増幅器Ｂ２１によって増幅された後の送信波Ａまたは送信波Ｂを相殺する相殺信号を生成し、当該相殺信号を入力信号（増幅器Ａ１１または増幅器Ｂ２１によって増幅された後の送信波Ａおよび送信波Ｂが結合されたもの）に加算することによって、入力信号における送信波Ａまたは送信波Ｂを相殺するように構成されている。
【００７２】
なお、位相については、相殺相手と逆位相に調整すればよく、当該調整のための移相量は、無線回路１０１内部の経路長から予め算出することができる。そのため、移相器５４の移相量は、設定時または生産時に設定することができる。ただし、動作時に設定してもよい。また、振幅について、相殺相手と同振幅に調整すればよく、無線回路１０１内における各信号の減衰量は回路構成により決定されるため、各送信波生成回路が決定した各送信波の振幅および回路構成による信号の減衰量に基づいて、設定時または生産時に増幅（減衰）器５５の増幅（減衰）量を設定することができる。但し、振幅調整を詳細に行うため、温度などの外部要因による影響を考慮し、動的に調整してもよい。
【００７３】
検波対象波が送信波Ａであるときには、制御回路３０は、スイッチ５２に対しては、相殺回路５３に、検波対象波以外の送信波（送信波Ｂ）が入力されるように、相殺回路５３に対しては、入力信号における検波対象波以外の送信波（送信波Ｂ）を相殺するように制御信号を送る。一方、検波対象波が送信波Ｂであるときには、制御回路３０は、スイッチ５２に対しては、相殺回路５３に検波対象波以外の送信波（送信波Ａ）が入力されるように、相殺回路５３に対しては、入力信号における検波対象波以外の送信波（送信波Ａ）を相殺するように制御信号を送る。なお、送信波Ａおよび送信波Ｂが同時に出力されておらず、検波対象波のみが出力される状態では、制御回路３０は、加算器５６において入力信号に何ら加算されないように相殺回路５３に制御信号を送ってもよい。
【００７４】
以上により、図４（ａ）に示す構成例において、送信波選択回路３１は、首尾よく検波対象波を選択的に出力することができる。
【００７５】
なお、本実施形態は、二種類の送信波を扱う場合に限定されず、三種類以上の送信波を扱う場合にも適用することができる。図４（ｂ）は、一変形例において、三種類の送信波（送信波Ａ、送信波Ｂおよび送信波Ｃ）を扱う場合の送信波選択回路３１の構成例を示す図である。
【００７６】
図４（ｂ）に示すように、一例において、送信波選択回路３１は、送信信号Ａを相殺するための相殺回路５３ａ、送信信号Ｂを相殺するための相殺回路５３ｂ、および送信信号Ｃを相殺するための相殺回路５３ｃがシリアルに接続された構成を有している。
【００７７】
相殺回路５３ａには、スイッチ５７ａを介して、増幅器によって増幅される前の送信波Ａが入力されるようになっている。相殺回路５３ｂには、スイッチ５７ｂを介して、増幅器によって増幅される前の送信波Ｂが入力されるようになっている。相殺回路５３ｃには、スイッチ５７ｃを介して、増幅器によって増幅される前の送信波Ｃが入力されるようになっている。
【００７８】
相殺回路５３ａ、５３ｂおよび５３ｃは、それぞれ、移相器５４ａ、５４ｂまたは５４ｃ、増幅（減衰）器５５ａ、５５ｂまたは５５ｃ、および加算器５６ａ、５６ｂまたは５６ｃを備えており、増幅器によって増幅される前の送信波Ａ、ＢまたはＣの位相および振幅を調整することによって、増幅器によって増幅された後の送信波Ａ、ＢまたはＣを相殺する相殺信号を生成し、当該相殺信号を入力信号に加算することによって、入力信号における送信波Ａ、ＢまたはＣを相殺するように構成されている。
【００７９】
検波対象波が送信波Ａであるときには、制御回路３０は、スイッチ５７ｂおよび５７ｃに対して、相殺回路５３ｂおよび５３ｃに、検波対象波以外の送信波（送信波ＢおよびＣ）が入力されるように、相殺回路５３ｂおよび５３ｃに対しては、入力信号における検波対象波以外の送信波（送信波ＢおよびＣ）を相殺するように制御信号を送る。検波対象波が送信波Ｂであるときには、制御回路３０は、スイッチ５７ａおよび５７ｃに対して、相殺回路５３ａおよび５３ｃに、検波対象波以外の送信波（送信波ＡおよびＣ）が入力されるように、相殺回路５３ａおよび５３ｃに対しては、入力信号における検波対象波以外の送信波（送信波ＡおよびＣ）を相殺するように制御信号を送る。検波対象波が送信波Ｃであるときには、制御回路３０は、スイッチ５７ａおよび５７ｂに対して、相殺回路５３ａおよび５３ｂに、検波対象波以外の送信波（送信波ＡおよびＢ）が入力されるように、相殺回路５３ａおよび５３ｂに対しては、入力信号における検波対象波以外の送信波（送信波ＡおよびＢ）を相殺するように制御信号を送る。なお、送信波Ａ、ＢおよびＣが同時に出力されておらず、検波対象波のみが出力される状態では、制御回路３０は、入力信号に何ら加算されないように相殺回路５３ａ、５３ｂおよび５３ｃに制御信号を送ってもよい。
【００８０】
以上により、図４（ｂ）に示す構成例において、送信波選択回路３１は、首尾よく検波対象波を選択的に出力することができる。なお、他の実施形態において、４種類以上の送信波を同時に出力する場合であっても、本構成例と同様に、送信波の種類と同じ数の相殺回路をシリアルに接続し、検波対象波以外の送信波が相殺されるように制御すればよい。
【００８１】
（無線回路の制御例）
図１０は、無線回路１０１における検波処理の流れの一例を説明するフローチャートである。図１０に示すように、まず、制御回路３０は、ステップＳ１０において、同時送信が行われているか否かを判定し、同時送信が行われていない場合（検波対象波のみ送信されている場合）には、ステップＳ１１へ進み、同時送信が行われていない場合には、ステップＳ１３に進む。
【００８２】
ステップＳ１１では、制御回路３０は、送信波選択回路３１に対し、入力信号に何も加算せずに通過させるよう制御信号を送り、ステップＳ１２に進む。
【００８３】
ステップＳ１２では、検波回路３３は、検波対象波の電力を検出する。演算部３４は、検波回路３３が検出した検波対象波の電力に基づいて、検波対象波の送信電力の制御を行う。その後、ステップＳ１０に戻る。
【００８４】
ステップＳ１３では、制御回路３０は、送信波Ａの検波を行うべきか否かを判定する。制御回路３０は、この判定を、上述したように、（ｉ）送信波Ａのみの送信、送信波Ｂのみの送信、ならびに、送信波Ａおよび送信波Ｂの同時送信の何れであるか、（ｉｉ）送信波Ａおよび送信波Ｂの同時送信の場合における検波対象波の切り替え間隔などに応じて行うことができる。送信波Ａの検波を行うべき場合には、ステップＳ１４に進み、そうでない場合（送信波Ｂの検波を行うべき場合）にはステップＳ１７に進む。
【００８５】
ステップＳ１４では、制御回路３０は、増幅器Ｂ２１によって増幅される前の送信波Ｂが、相殺回路５３に入力されるようにスイッチ５２に制御信号を送り、ステップＳ１５に進む。
【００８６】
ステップＳ１５では、相殺回路５３の移相器５４および増幅（減衰）器５５が、増幅器Ｂ２１によって増幅される前の送信波Ｂの位相および振幅を調整し、増幅器Ｂ２１によって増幅された後の送信波Ｂを相殺するための相殺信号を生成し、ステップＳ１６に進む。
【００８７】
ステップＳ１６では、送信波選択回路３１は、ステップＳ１５において相殺回路５３が生成した相殺信号を入力信号に加算することによって、入力信号に含まれる送信波Ｂを相殺し、検波対象波である送信波Ａのみを選択的に出力し、ステップＳ１２に進む。
【００８８】
ステップＳ１７では、制御回路３０は、増幅器Ａ１１によって増幅される前の送信波Ａが、相殺回路５３に入力されるようにスイッチ５２に制御信号を送り、ステップＳ１８に進む。
【００８９】
ステップＳ１８では、相殺回路５３の移相器５４および増幅（減衰）器５５が、増幅器Ａ１１によって増幅される前の送信波Ａの位相および振幅を調整し、増幅器Ａ１１によって増幅された後の送信波Ａを相殺するための相殺信号を生成し、ステップＳ１９に進む。
【００９０】
ステップＳ１９では、送信波選択回路３１は、ステップＳ１８において相殺回路５３が生成した相殺信号を入力信号に加算することによって、入力信号に含まれる送信波Ａを相殺し、検波対象波である送信波Ｂのみを選択的に出力し、ステップＳ１２に進む。
【００９１】
〔実施形態３〕
本発明のさらに他の実施形態（実施形態３）について、図面に基づいて説明すれば、以下のとおりである。なお、説明の便宜上、前記実施形態にて説明した図面と同じ機能を有する部材については、同じ符号を付記し、その説明を省略する。
【００９２】
図５は、本実施形態に係る無線回路１０２の概略構成を示すブロック図である。図５に示すように、無線回路１０２において、送信波生成回路Ａ１０が生成した送信波Ａは、増幅器Ａ１１によって増幅され、結合器Ａ１２によって一部が取り出された後、出力される（送信波出力Ａ）。また、送信波生成回路Ｂ２０が生成した送信波Ｂは、増幅器Ｂ２１によって増幅され、結合器Ｂ２２によって一部が取り出された後、出力される（送信波出力Ｂ）。そして、結合器Ａ１２および結合器Ｂ２２において取り出された送信波Ａおよび送信波Ｂは、それぞれ、送信波選択回路３１のスイッチ５８に入力される。
【００９３】
スイッチ５８は、制御回路３０からの制御信号に基づき、入力された送信波Ａおよび送信波Ｂのうち、検波対象波を検波回路３３に出力する。これにより、本実施形態においても、送信波選択回路３１は、首尾よく検波対象波を選択的に出力することができる。
【００９４】
〔実施形態４〕
本発明のさらに他の実施形態（実施形態４）について、図面に基づいて説明すれば、以下のとおりである。なお、説明の便宜上、前記実施形態にて説明した図面と同じ機能を有する部材については、同じ符号を付記し、その説明を省略する。
【００９５】
図６は、本実施形態に係る無線回路１０３の概略構成を示すブロック図である。図６に示すように、無線回路１０３において、送信波生成回路Ａ１０が生成した送信波Ａは、増幅器Ａ１１によって増幅され、デュプレクサＡ１４に入力される。また、送信波生成回路Ｂ２０が生成した送信波Ｂは、増幅器Ｂ２１によって増幅され、デュプレクサＢ２４に入力される。そして、デュプレクサＡ１４から出力された送信波ＡおよびデュプレクサＢ２４から出力された送信波Ｂは、結合部３５において結合され、結合器３６によって一部が取り出された後、アンテナ３７から出力される。そして、結合器３６において取り出された結合した状態の送信波Ａおよび送信波Ｂは、送信波選択回路３１に入力される。
【００９６】
送信波選択回路３１は、制御回路３０からの制御信号に基づき、入力された送信波Ａおよび送信波Ｂのうち、検波対象波を検波回路３３に出力する。これにより、本実施形態においても、送信波選択回路３１は、首尾よく検波対象波を選択的に出力することができる。
【００９７】
なお、本実施形態に、実施形態２を組み合わせてもよい。すなわち、本実施形態において、実施形態２と同様、増幅器Ａ１１によって増幅される前の送信波Ａおよび増幅器Ｂ２１によって増幅される前の送信波Ｂが送信波選択回路３１に入力され、送信波選択回路３１がスイッチ５２および相殺回路５３を備えるように構成してもよい。
【００９８】
〔まとめ〕
本発明の一態様に係る無線回路（無線回路１００〜１０３）は、同時に複数の送信信号を出力可能な無線回路であって、該無線回路（無線回路１００〜１０３）が同時に複数の送信信号（送信波）を出力するとき、当該複数の送信信号の中から送信電力を検出すべき検波対象信号（検波対象波）を決定する決定手段（制御回路３０）と、該複数の送信信号が入力され、該決定手段（制御回路３０）が決定した該検波対象信号（検波対象波）を選択的に出力する選択手段（送信波選択回路３１）と、該選択手段（送信波選択回路３１）が出力した該検波対象信号（検波対象波）の電力を検出する検波手段（検波回路３３）と、を備えている。
【００９９】
上記の構成によれば、選択手段が、同時に送信される複数の送信信号の中から、送信電力を検出すべき検波対象信号を選択的に出力し、検波手段が、選択手段から出力された検波対象信号を検波する。これにより、周波数帯域毎に検波手段を設けることなく、複数の送信信号の各々の電力を個別に検出することができる。すなわち、上記の構成によれば、コンパクトな構成で、複数の送信回路が同時に送信信号を生成した場合に、各送信回路が生成した送信信号を個別に検波することができる無線回路を提供することができる。
【０１００】
上記無線回路（無線回路１００〜１０３）は、上記複数の送信信号（送信波Ａおよび送信波Ｂ）の各々を生成する複数の送信信号生成手段（送信波生成回路Ａ１０および送信波生成回路Ｂ２０）と、該複数の送信信号生成手段（送信波生成回路Ａ１０および送信波生成回路Ｂ２０）が生成した複数の送信信号（送信波Ａおよび送信波Ｂ）をそれぞれ増幅する複数の増幅手段（増幅器Ａ１１および増幅器Ｂ２１）と、を備えており、上記選択手段（送信波選択回路３１）には、上記複数の増幅手段（増幅器Ａ１１および増幅器Ｂ２１）によって増幅された後の上記複数の送信信号（送信波Ａおよび送信波Ｂ）が入力されるようになっているものであってもよい。
【０１０１】
上記の構成によれば、増幅手段によって増幅された後の送信信号の電力を検出することができる。なお、典型的には、増幅手段によって増幅された後の送信信号は、主に、無線回路から出力されて送信されるため、選択手段に入力される送信信号は、増幅手段によって増幅された後の送信信号の一部となる。
【０１０２】
上記無線回路（無線回路１０１）において、上記選択手段（送信波選択回路３１）には、上記複数の送信信号（送信波Ａおよび送信波Ｂ）が結合された状態で入力され、上記選択手段（送信波選択回路３１）は、上記複数の増幅手段（増幅器Ａ１１および増幅器Ｂ２１）によって増幅される前の上記複数の送信信号（送信波Ａおよび送信波Ｂ）から、上記複数の送信信号（送信波Ａおよび送信波Ｂ）の各々を相殺する相殺信号を生成する相殺信号生成手段（相殺回路５３、５３ａ〜５３ｃ）を備えており、上記選択手段（送信波選択回路３１）に入力された上記複数の送信信号（送信波Ａおよび送信波Ｂ）に対して、該相殺信号生成手段（相殺回路５３、５３ａ〜５３ｃ）によって生成された、上記検波対象信号（検波対象波）とは異なる送信信号を相殺する該相殺信号を加えることによって、上記検波対象信号（検波対象波）を選択的に出力するようになっているものであってもよい。
【０１０３】
増幅手段によって増幅される前と後で送信信号の波形は変化しないため、増幅手段によって増幅される前の送信信号の振幅および位相を調整することにより、増幅手段によって増幅された後の送信信号を相殺する相殺信号を生成することができる。そのため、上記の構成によれば、相殺信号生成手段は、検波対象信号とは異なる送信信号を相殺する相殺信号を生成することができる。この相殺信号を、増幅手段によって増幅された後の複数の送信信号が結合した入力信号に加えることにより、増幅手段によって増幅された後の検波対象信号を選択的に出力することができる。
【０１０４】
上記無線回路（無線回路１０１）では、上記相殺信号生成手段（相殺回路５３、５３ａ〜５３ｃ）は、移相器（移相器５４）と、増幅器および減衰器の少なくとも何れか（増幅（減衰）器５５）とを備えているものであってもよい。
【０１０５】
上記の構成によれば、相殺信号生成手段は、位相器と、増幅器および減衰器の少なくとも何れかとを備えているため、増幅手段によって増幅される前の送信信号の振幅および位相を容易に調整することができ、上記相殺信号を首尾よく生成することができる。
【０１０６】
上記無線回路（無線回路１００、１０３）において、上記選択手段（送信波選択回路３１）には、上記複数の送信信号（送信波Ａおよび送信波Ｂ）が結合された状態で入力され、上記選択手段（送信波選択回路３１）は、上記複数の送信信号（送信波Ａおよび送信波Ｂ）の各々を選択的に通過または阻止するフィルタ（バンドパスフィルタ４１ａ、４１ｂ、４７ａ、４７ｂ、可変バンドパスフィルタ４４、ノッチフィルタ５０ａ、５０ｂ）を備えているものであってもよい。
【０１０７】
上記の構成によれば、選択手段は、複数の送信信号の各々を選択的に通過または阻止するフィルタを用いることにより、複数の送信信号が結合した入力信号から、検波対象信号のみを選択的に出力することができる。
【０１０８】
上記無線回路（無線回路１００〜１０３）では、上記決定手段（制御回路３０）は、上記複数の送信信号（送信波Ａおよび送信波Ｂ）の送信電力がそれぞれ検出されるように、上記検波対象信号（検波対象波）を切り替えるようになっているものであってもよい。
【０１０９】
上記の構成によれば、決定手段は、同時に送信される複数の送信信号について、当該複数の送信信号の送信電力がそれぞれ検出されるように、検波対象信号を切り替える（例えば、複数の送信信号の各々を、順に検波対象信号としていく）。これにより、複数の送信信号の送信電力をそれぞれ検出することができる。
【０１１０】
本発明の一態様に係る無線装置は、本発明の一態様に係る無線回路（無線回路１００〜１０３）を備えていることを特徴としている。
【０１１１】
上記の構成によれば、無線装置が、上記無線回路を備えていることにより、コンパクトな構成で、複数の送信回路が同時に送信信号を生成した場合に、各送信回路が生成した送信信号を個別に検波することができる無線装置を提供することができる。
【０１１２】
本発明の一態様に係る無線回路の制御方法は、選択手段（送信波選択回路３１）を備え、同時に複数の送信信号（送信波Ａおよび送信波Ｂ）を出力可能な無線回路（無線回路１００〜１０３）の制御方法であって、無線回路（無線回路１００〜１０３）が同時に複数の送信信号（送信波Ａおよび送信波Ｂ）を出力する出力工程と、当該複数の送信信号（送信波Ａおよび送信波Ｂ）の中から送信電力を検出すべき検波対象信号（検波対象波）を決定する決定工程と、該選択手段（送信波選択回路３１）が、該複数の送信信号（送信波Ａおよび送信波Ｂ）を含む入力から、該決定工程において決定した該検波対象信号（検波対象波）を選択的に出力する選択工程と、該選択工程において該選択手段（送信波選択回路３１）が出力した該検波対象信号（検波対象波）の電力を検出する検波工程と、を包含していることを特徴としている。
【０１１３】
上記の方法によれば、本発明の一態様に係る無線回路と同等の効果を奏する。
【０１１４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１１５】
〔ソフトウェアによる実現例〕
最後に、無線回路１００〜１０３の各ブロック、特に制御回路３０は、集積回路（ＩＣチップ）上に形成された論理回路によってハードウェア的に実現してもよいし、ＣＰＵ（Central Processing Unit）を用いてソフトウェア的に実現してもよい。
【０１１６】
後者の場合、無線回路１００〜１０３は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである無線回路１００〜１０３の制御プログラムのプログラムコード（実行形式プログラム、中間コードプログラム、ソースプログラム）をコンピュータで読み取り可能に記録した記録媒体を、上記無線回路１００〜１０３に供給し、そのコンピュータ（またはＣＰＵやＭＰＵ）が記録媒体に記録されているプログラムコードを読み出し実行することによっても、達成可能である。
【０１１７】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１１８】
また、無線回路１００〜１０３を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１１９】
本発明は、無線通信機器の製造分野において利用可能である。
【符号の説明】
【０１２０】
１０            送信波生成回路Ａ（送信信号生成手段）
１１            増幅器Ａ（増幅手段）
１２            結合器Ａ
２０            送信波生成回路Ｂ（送信信号生成手段）
２１            増幅器Ｂ（増幅手段）
２２            結合器Ｂ
３０            制御回路（決定手段）
３１            送信波選択回路（選択手段）
３２、３５      結合部
３３            検波回路（検波手段）
３４            演算部
３６            結合器
３７            アンテナ
４０ａ、４０ｂ、４２ａ、４２ｂ、４３、４５、４６、４８、４９ａ、４９ｂ、５１ａ、５１ｂ、５２、５７ａ、５７ｂ、５７ｃ  スイッチ
４１ａ、４１ｂ、４７ａ、４７ｂ  バンドパスフィルタ
４４            可変バンドパスフィルタ
５０ａ、５０ｂ  ノッチフィルタ
５３            相殺回路（相殺信号生成手段）
５４            移相器
５５            増幅（減衰）器
５６            加算器
１００〜１０２  無線回路
【図１】
2014078792.tif 000003
【図２】
2014078792.tif 000004
【図３】
2014078792.tif 000005
【図４】
2014078792.tif 000006
【図５】
2014078792.tif 000007
【図６】
2014078792.tif 000008
【図７】
2014078792.tif 000009
【図８】
2014078792.tif 000010
【図９】
2014078792.tif 000011
【図１０】
2014078792.tif 000012